(57)【要約】【課題】  支柱を１本にした場合でも、被支持物を高さ調整可能としながら安定して支持することができる支持台を提供する。【解決手段】  本発明に係るテレビ台１０は、ベース２０と、ベース２０の立設部２１に立設される支柱３０と、支柱３０に設けられた取付部３７に取り付けられ、テレビＴを支持する支持金具４０とを備え、取付部３７には、鉛直面と平行な前面３８と、前面３８に形成された挿通孔とが設けられ、支持金具４０の連結金具４７には、前面３８に当接する後面４８と、後面４８で鉛直方向に配置されてネジ６２により前記挿通孔に固定される複数のネジ孔４９とが設けられ、前記挿通孔に固定されるネジ孔４９の変更により、支持金具４０の取付部３７に対する取付位置が高さ方向に調整可能である。【選択図】  図２
2020136758.tif 000002
【特許請求の範囲】
【請求項１】
ベースと、
前記ベースの立設部に立設される支柱と、
前記支柱に設けられた取付部に取り付けられ、被支持物を支持する支持部とを備え、
前記取付部には、鉛直面と平行な被当接面と、前記被当接面に形成された位置決め部とが設けられ、
前記支持部には、前記被当接面に当接する当接面と、前記当接面上で鉛直方向に配置されて前記位置決め部に固定される複数の固定部とが設けられ、
前記位置決め部に固定される固定部の変更により、前記支持部の前記取付部に対する取付位置が高さ方向に調整可能であることを特徴とする支持台。
【請求項２】
ベースと、
前記ベースの立設部に立設される支柱と、
前記支柱に設けられた取付部に取り付けられ、被支持物を支持する支持部とを備え、
前記取付部には、鉛直面と平行な被当接面と、前記被当接面上で鉛直方向に配置された複数の位置決め部とが設けられ、
前記支持部には、前記被当接面に当接する当接面と、前記当接面に形成されて前記位置決め部に固定される固定部とが設けられ、
前記固定部が固定される位置決め部の変更により、前記支持部の前記取付部に対する取付位置が高さ方向に調整可能であることを特徴とする支持台。
【請求項３】
前記支柱は、前記立設部から上方、かつ、後方に延在する傾斜部と、前記傾斜部の上部から前方に延在する水平部とを備え、
前記取付部は、前記水平部の前部に設けられていることを特徴とする請求項１又は請求項２に記載の支持台。
【請求項４】
前記取付部は、前記立設部の鉛直方向上方に設けられていることを特徴とする請求項１乃至請求項３のいずれか１項に記載の支持台。
【請求項５】
前記被支持物は、テレビであることを特徴とする請求項１乃至請求項４のいずれか１項に記載の支持台。
【発明の詳細な説明】
【技術分野】
【０００１】
本発明は、ベースに立設された支柱に取り付けられる支持部によりテレビ等の被支持物を支持するテレビ台等の支持台に関する。
【背景技術】
【０００２】
ベースに立設された支柱に取り付けられる支持部により被支持物を支持する支持台として、例えば特許文献１に記載のテレビ台がある。図１３に示すように、このテレビ台１００は、床面に設置される平板状のベース１１０と、ベース１１０に立設された支柱１２０，１２０と、支柱１２０，１２０の上部に取り付けられるとともにテレビＴが取り付けられ、テレビＴを支持する支持部１３０と、支柱１２０，１２０を正面側から覆う飾り板１４０とを備える。
【０００３】
支柱１２０，１２０は、図１４に示すように、ベース１１０に立設された下部支柱１２１，１２１と、下部支柱１２１，１２１に嵌入されて上下方向にスライド可能な上部支柱１２２，１２２とにより概略構成されている。そして、図１５に示すように、上部支柱１２２，１２２の下部支柱１２１，１２１に対するスライドにより、支柱１２０，１２０が伸縮して支持部１３０の高さが変更され、テレビＴの高さ位置が調整可能となっている。
【先行技術文献】
【特許文献】
【０００４】
【特許文献１】実用新案登録第３２０２１４０号公報
【発明の概要】
【発明が解決しようとする課題】
【０００５】
ところで、テレビ台１００は、５０インチを超えるような大型テレビにも好適であることから、支持部１３０が２本の上部支柱１２２，１２２と一体となってスライドすることにより、その高さが剛性を確保しつつ調整されるが、このデザインは、リビングルーム等の広い部屋には向いているものの、寝室や子ども部屋等の比較的狭い部屋では存在感が大きくなることがあった。
【０００６】
そこで、比較的狭い部屋で使用される支持台について、支柱を２本から１本に減らして軽快なデザインを採用することが考えられるが、支柱が１本の場合にも上部支柱が下部支柱に対してスライドする構成では、支持部の剛性を確保しにくく、テレビ等の被支持物の支持が安定しないという問題がある。
【０００７】
本発明は、上記の事情に鑑みてなされたもので、支柱を１本にした場合でも、被支持物を高さ調整可能としながら安定して支持することができる支持台を提供することを課題としている。
【課題を解決するための手段】
【０００８】
上記課題を解決するため、本発明に係る支持台は、ベースと、前記ベースの立設部に立設される支柱と、前記支柱に設けられた取付部に取り付けられ、被支持物を支持する支持部とを備え、前記取付部には、鉛直面と平行な被当接面と、前記被当接面に形成された位置決め部とが設けられ、前記支持部には、前記被当接面に当接する当接面と、前記当接面上で鉛直方向に配置されて前記位置決め部に固定される複数の固定部とが設けられ、前記位置決め部に固定される固定部の変更により、前記支持部の前記取付部に対する取付位置が高さ方向に調整可能であることを特徴とする。
【０００９】
この支持台によれば、ベースと、ベースの立設部に立設される支柱と、支柱に設けられた取付部に取り付けられ、被支持物を支持する支持部とを備え、取付部には、鉛直面と平行な被当接面と、被当接面に形成された位置決め部とが設けられ、支持部には、被当接面に当接する当接面と、当接面上で鉛直方向に配置されて位置決め部に固定される複数の固定部とが設けられ、位置決め部に固定される固定部の変更により、支持部の取付部に対する取付位置が高さ方向に調整可能であるので、支持部の高さが支柱の伸縮（上部支柱の下部支柱に対するスライド等による伸縮）によらずに調整され、支柱を１本にした場合でも、被支持物を高さ調整可能としながら安定して支持することができる。
【００１０】
また、支持部の取付部に対する取付けは、鉛直面と平行な取付部の被当接面に支持部の当接面を当接させ、当接面上で鉛直方向に配置された複数の固定部のいずれかを位置決め部に固定することにより行われるから、支持部の取付位置は、高さ方向に調整しても同一鉛直線上でしか変わらない。したがって、支持部の高さが変わっても被支持物の重心位置が水平面内で変化せず、重心位置の変化に対応するために（重心位置の変化があっても被支持物が倒れないように）支柱やベースを重厚に設計する必要がなくなり、支柱やベースを細く又は小さくした軽快なデザインの採用も容易となる。
【００１１】
あるいは、本発明に係る支持台は、ベースと、前記ベースの立設部に立設される支柱と、前記支柱に設けられた取付部に取り付けられ、被支持物を支持する支持部とを備え、前記取付部には、鉛直面と平行な被当接面と、前記被当接面上で鉛直方向に配置された複数の位置決め部とが設けられ、前記支持部には、前記被当接面に当接する当接面と、前記当接面に形成されて前記位置決め部に固定される固定部とが設けられ、前記固定部が固定される位置決め部の変更により、前記支持部の前記取付部に対する取付位置が高さ方向に調整可能であることを特徴としてもよく、この場合にも、上記の効果を奏する。
【００１２】
本発明に係る支持台において、前記支柱は、前記立設部から上方、かつ、後方に延在する傾斜部と、前記傾斜部の上部から前方に延在する水平部とを備え、前記取付部は、前記水平部の前部に設けられていてもよい。これにより、比較的狭い部屋で使用される場合にも相応しい高い意匠性を支柱に付与することができる。
【００１３】
さらに、前記取付部は、前記立設部の鉛直方向上方に設けられていてもよく、これにより、被支持物の重さによりベースに加わる回転力を抑制し、ベースを比較的狭い部屋で使用される場合にも適したコンパクトなものとすることができる。
【００１４】
なお、本発明についての「鉛直」及び「水平」の語は、例えば測定器で測定して鉛直や水平から１°でもずれていたら含まない趣旨ではなく、厳密な鉛直や水平に対して多少の誤差があったとしても、本発明の効果との関係で鉛直や水平と認め得るものであれば含む趣旨である。
【発明の効果】
【００１５】
本発明に係る支持台よれば、支柱を１本にした場合でも、被支持物を高さ調整可能としながら安定して支持することができる。
【図面の簡単な説明】
【００１６】
【図１】本発明の実施の形態に係るテレビ台を正面側から示す説明図である。
【図２】図１のテレビ台を背面側から示す説明図である。
【図３】図１のテレビ台のベースと支柱との取付方法を示す説明図である。
【図４】（ａ）は図１のテレビ台の支持金具を正面側から示す説明図、（ｂ）は背面側から示す説明図である。
【図５】図１のテレビ台の支柱と支持金具との取付方法を示す説明図である。
【図６】（ａ）は図１のテレビ台の支持金具の一方の取付金具を正面側から示す説明図、（ｂ）は背面側から示す説明図である。
【図７】（ａ）は図１のテレビ台の支持金具の他方の取付金具を正面側から示す説明図、（ｂ）は背面側から示す説明図である。
【図８】図１のテレビ台の支持金具のストッパー金具を示す説明図である。
【図９】図１のテレビ台の支持金具とテレビとの取付方法を示す説明図である。
【図１０】図１のテレビ台の支持金具を低くした状態を示す説明図である。
【図１１】（ａ）は図１のテレビ台のホルダーを正面側から示す説明図、（ｂ）は背面側から示す説明図である。
【図１２】図１１のホルダーがフレームに取り付けられた状態を示す説明図である。
【図１３】従来のテレビ台を示す説明図である。
【図１４】図１３のテレビ台の支柱の構造を示す説明図である。
【図１５】図１３のテレビ台の支持部の高さ調整方法を示す説明図である。
【発明を実施するための形態】
【００１７】
本発明の実施の形態について、図面に基づいて説明する。
【００１８】
図１及び図２に示すように、本実施の形態に係るテレビ台１０は、テレビＴを支持するもので、床面Ｆに設置されるベース２０と、ベース２０に立設される支柱３０と、支柱３０に取り付けられてテレビＴを支持する支持金具４０と、支持金具４０に取り付けられて録画用のハードディスクドライブ等の電子機器を保持するホルダー５０とを備える。
【００１９】
ベース２０は円板状を呈し、その中央に設けられた立設部２１に支柱３０がネジ止めされている。ネジの本数及びネジ止め位置は、特に限定されるものではなく、ここでは、図３に示すように、立設部２１に３つの挿通孔２２が形成され、支柱３０の底部３１の前側に１つ、後ろ側に２つのネジ孔（周面にネジが形成された孔）３２が形成され、挿通孔２２を挿通するネジ６０がネジ孔３２に螺着される。
【００２０】
支柱３０は、立設部２１から上方、かつ、後方に延在する断面円形の直管状（丸パイプ状）の傾斜部３３と、傾斜部３３の上端部から前方に延在する断面円形の直管状の水平部３４とを備える。傾斜部３３の上部前面及び下部後面には、直管の内外を連通する開口部３５，３６が形成されている。テレビ台１０にテレビＴが支持されると、テレビＴの配線は、開口部３５から傾斜部３３の管内に入って開口部３６から引き出されることにより、目立たなくなる。
【００２１】
水平部３４の前端部で立設部２１の鉛直方向上方には、矩形平板状の取付部３７が設けられている。取付部３７は、その前面３８が鉛直面と平行であり、鉛直方向に配置された挿通孔３９，３９が形成されている。
【００２２】
支持金具４０は、図４に示すように、支柱３０の取付部３７に取り付けられるフレーム４１と、フレーム４１に係止されてテレビＴが取り付けられる取付金具４２及び取付金具４３と、取付金具４２及び取付金具４３のフレーム４１からの脱落を防止するストッパー金具４４，４４とを備える。
【００２３】
フレーム４１は、支柱３０に取り付けられた際に幅方向（左右方向）に延在して取付金具４２及び取付金具４３が係止される被係止金具４５と、被係止金具４５の下方で幅方向に延在して取付金具４２及び取付金具４３が係止される被係止金具４６と、高さ方向（上下方向）に延在して被係止金具４５及び被係止金具４６を連結し、取付部３７に取り付けられる連結金具４７とを有する。
【００２４】
被係止金具４５は、金属板が側面視クランク状に折り曲げられてなり、取付金具４２及び取付金具４３が係止される被係止部４５ａと、連結金具４７により連結される被連結部４５ｂと、被係止部４５ａ及び被連結部４５ｂの中間に介在する中間部４５ｃとを有する。被係止部４５ａの上縁には、左右対称の位置に複数のスリット４５ｄが設けられ、被連結部４５ｂには、幅方向の中心位置に連結金具４７が固着され、左右対称の位置に複数のネジ孔４５ｆが設けられている。
【００２５】
被係止金具４６は、金属板が側面視クランク状に折り曲げられてなり、取付金具４２及び取付金具４３が係止される被係止部４６ａと、連結金具４７により連結される被連結部４６ｂと、被係止部４６ａ及び被連結部４６ｂの中間に介在する中間部４６ｃとを有する。被係止部４６ａの上縁には、複数のスリット４５ｄに対応する位置（複数のスリット４５ｄの鉛直方向下方）に複数のスリット４６ｄが設けられ、被連結部４６ｂには、幅方向の中心位置に連結金具４７が固着されている。
【００２６】
連結金具４７は取付部３７よりも長尺な矩形平板状を呈し、被連結部４５ｂ及び被連結部４６ｂに固着されて鉛直方向に延在する。連結金具４７は、その後面４８が平面で、鉛直方向に配置された複数のネジ孔４９が形成されている。
【００２７】
フレーム４１は、図５に示すように、取付部３７の前面３８に連結金具４７の後面４８を当接させ、後面４８上で鉛直方向に配置された複数のネジ孔４９のいずれかを挿通孔３９と重ね合わせ、挿通孔３９に座金６１を挿通するネジ６２を挿通させ、このネジ６２をネジ孔４９に螺合させることにより、支柱３０の取付部３７に取り付けられる。
【００２８】
取付金具４２は、金属板が折り曲げられてなり、図６に示すように、テレビＴの背面に当接する当接面部４２ａと、フレーム４１に係止されるフック部４２ｂ及びフック部４２ｃが上下に形成された係止面部４２ｄとを備える。
【００２９】
当接面部４２ａには、角孔４２ｅと、複数の丸孔４２ｆと、長孔４２ｇとが設けられている。フック部４２ｂの下縁にはスリット４２ｈが設けられ、フック部４２ｃの下縁にはスリット４２ｉが設けられ、フック部４２ｂには、ネジ孔４２ｊが形成されている。
【００３０】
取付金具４３は、金属板が折り曲げられて取付金具４２と略対称な形状を呈し、図７に示すように、テレビＴの背面に当接する当接面部４３ａと、フレーム４１に係止されるフック部４３ｂ及びフック部４３ｃが上下に形成された係止面部４３ｄとを備える。
【００３１】
当接面部４３ａには、丸孔４３ｅと、複数の丸孔４３ｆと、長孔４３ｇとが設けられている。フック部４３ｂの下縁にはスリット４３ｈが設けられ、フック部４３ｃの下縁にはスリット４３ｉが設けられ、フック部４３ｂには、ネジ孔４３ｊが形成されている。
【００３２】
ストッパー金具４４は、図８に示すように、取付金具４２のフック部４２ｂ又は取付金具４３のフック部４３ｂにネジ止めされるネジ止め部４４ａと、ネジ止め部４４ａの下方に設けられた胴部４４ｂと、胴部４４ｂの下部前方に設けられた鈎部４４ｃとを有する。ネジ止め部４４ａには、ストッパー金具４４が後述のように取付金具４２又は取付金具４３にネジ止めされてフレーム４１に組み付けられた際に、ネジ孔４２ｊ又はネジ孔４３ｊに重なり合う挿通孔４４ｄが形成され、胴部４４ｂと鈎部４４ｃとの間には、スリット４４ｅが形成されている。
【００３３】
支持金具４０によりテレビＴを支持する場合には、まず、取付金具４２の当接面部４２ａ及び取付金具４３の当接面部４３ａをテレビＴの背面に当接させ、テレビＴの背面に設けられた図示を略すネジ孔に丸孔４２ｆ及び丸孔４３ｆ（並びに、必要に応じて長孔４２ｇ及び長孔４３ｇ）を重ね合わせる。そして、図示を略すネジを丸孔４２ｆ、丸孔４３ｆ（及び、長孔４２ｇ、長孔４３ｇ）に挿通させ、そのテレビＴの背面のネジ孔に螺合させることにより、テレビＴに取付金具４２及び取付金具４３を取り付ける。テレビＴの背面に段差があり、当接面部４２ａ又は当接面部４３ａとの間に隙間が生じてそれを埋める必要がある場合には、テレビＴの背面と当接面部４２ａ又は当接面部４３ａとの間にスペーサーを介在させてもよい。
【００３４】
次に、取付金具４２のフック部４２ｂ及び取付金具４３のフック部４３ｂを、支柱３０に取り付けられたフレーム４１の被係止部４５ａに係止させ、フック部４２ｃ及びフック部４３ｃを、そのフレーム４１の被係止部４６ａに係止させる。詳細には、フック部４２ｂのスリット４２ｈを被係止部４５ａのスリット４５ｄに上方から係止させ、フック部４２ｃのスリット４２ｉを被係止部４６ａのスリット４６ｄに上方から係止させ、フック部４３ｂのスリット４３ｈを被係止部４５ａのスリット４５ｄに上方から係止させ、フック部４３ｃのスリット４３ｉを被係止部４６ａのスリット４６ｄに上方から係止させる。
【００３５】
続いて、ストッパー金具４４を、被係止金具４５の被連結部４５ｂがスリット４４ｅに入り込んで鈎部４４ｃが被連結部４５ｂに係合するように、かつ、ネジ止め部４４ａの挿通孔４４ｄがフック部４２ｂのネジ孔４２ｊ又はフック部４３ｂのネジ孔４３ｊに重なるように位置させた上で、図９に示すように、挿通孔４４ｄを挿通するネジ６３によりフック部４２ｂ又はフック部４３ｂに締結する。これにより、テレビＴの支持金具４０への取付け（テレビ台１０への取付け）が完了する。
【００３６】
テレビＴの高さを変えるために、支持金具４０の取付部３７に対する取付位置を変更する場合には、挿通孔３９とネジ６２により締結するネジ孔４９を異なるものとすればよい。図１及び図２は、挿通孔３９，３９が複数のネジ孔４９のうち下２つのネジ孔４９と締結され、支持金具４０を最も高い位置とした状態を示すが、挿通孔３９，３９が複数のネジ孔４９のうち上２つのネジ孔４９と締結され、支持金具４０を最も低い位置とした状態は、図１０に示すようになる。
【００３７】
ホルダー５０は、金属板を曲げ加工してなり、図１１に示すように、底面部５１と、底面部５１の前縁から上方に延在する前面部５２と、底面部５１の後縁から前面部５２よりも低くなるように上方に延在する後面部５３と、前面部５２の上縁から前方、そして下方に延在し、側面視略Ｕ字状を呈する係止部５４とを備える。
【００３８】
底面部５１には複数の通気孔５１ａが、前面部５２には複数の通気孔５２ａが、後面部５３には複数の通気孔５３ａがそれぞれ形成されており、ハードディスクドライブ等の電子機器Ｈは、前面部５２及び後面部５３の対向空間で底面部５１上に保持され、その配線は対向空間の開放された側方、すなわち、開口部５５，５５に取り回すことができる。
【００３９】
前面部５２には、通気孔５２ａの上方にネジ孔５２ｂ，５２ｂが形成され、その下縁には、下方に突出する取付片５６が前面部５２に連続して設けられ、取付片５６には、挿通孔５６ａが形成されている。ネジ孔５２ｂ，５２ｂ及び挿通孔５６ａは、ここでは使用しないが、支持金具が他の形態の場合に、その支持金具へのホルダー５０の取付けに供する。係止部５４には、鉛直方向に延在する複数の溝部５４ａが形成されるとともに、溝部５４ａで分断された各部分に挿通孔５４ｂが形成されている。
【００４０】
このホルダー５０は、図１２に示すように、係止部５４を被係止金具４５の被連結部４５ｂに当接させて挿通孔５４ｂをネジ孔４５ｆに重ね合わせ、挿通孔５４ｂにネジ６４を挿通させてネジ孔４５ｆに螺合させることにより、支持金具４０に取り付けられる。この際、取付金具４２、取付金具４３、ストッパー金具４４等を溝部５４ａに位置させることにより、係止部５４と取付金具４２、取付金具４３、ストッパー金具４４等との干渉を回避することができる。
【００４１】
本実施の形態に係るテレビ台１０では、ベース２０と、ベース２０の立設部２１に立設される支柱３０と、支柱３０に設けられた取付部３７に取り付けられ、テレビＴを支持する支持金具４０とを備え、取付部３７には、鉛直面と平行な前面３８と、前面３８に形成された挿通孔３９とが設けられ、支持金具４０の連結金具４７には、前面３８に当接する後面４９と、後面４９において鉛直方向に配置されてネジ６２により挿通孔３９に固定される複数のネジ孔４９とが設けられ、挿通孔３９に固定されるネジ孔４９の変更により、支持金具４０の取付部３７に対する取付位置が高さ方向に調整可能であるので、支持金具４０の高さが支柱の伸縮によらずに調整され、テレビ台１０のように支柱を１本（支柱３０）にした場合でも、テレビＴを高さ調整可能としながら安定して支持することができる。
【００４２】
また、支持金具４０の取付部３７に対する取付けは、鉛直面と平行な取付部３７の前面３８に支持金具４０の連結金具４７の後面４８を当接させ、後面４８上において鉛直方向に配置された複数のネジ孔４９のいずれかを挿通孔３９に固定することにより行われるから、支持金具４０の取付位置は、高さ方向に調整しても同一鉛直線上でしか変わらない。したがって、支持金具４０の高さが変わってもテレビＴの重心位置が水平面内で変化せず、重心位置の変化に対応するために支柱やベースを重厚に設計する必要がなくなり、支柱やベースを細く又は小さくした軽快なデザインの採用も容易となる。テレビ台１０において、支柱３０は、立設部２１から上方、かつ、後方に延在する傾斜部３３と、傾斜部３３の上部から前方に延在する水平部３４とを備え、取付部３７は、水平部３４の前部に設けられているので、比較的狭い部屋で使用される場合にも相応しい高い意匠性を支柱に付与することができる。
【００４３】
さらに、取付部３７は、立設部２１の鉛直方向上方に設けられているので、テレビＴの重さによりベース２０に加わる回転力を抑制し、ベースを比較的狭い部屋で使用される場合にも適したコンパクトなものとすることができる。
【００４４】
以上、本発明の実施の形態について例示したが、本発明の実施形態は上述したものに限られず、発明の趣旨を逸脱しない範囲で適宜変更等してもよい。
【００４５】
例えば、上記実施の形態では、支持金具４０の連結金具４７の後面４９に、鉛直方向に配置されてネジ６２により挿通孔３９に固定される複数のネジ孔４９とが設けられ、挿通孔３９に固定されるネジ孔４９の変更により、支持金具４０の取付部３７に対する取付位置が高さ方向に調整可能であるとしたが、取付部の前面上に鉛直方向に配置された複数の挿通孔が設けられ、支持金具の後面に形成されたネジ孔が固定される挿通孔の変更により、支持金具の取付部に対する取付位置が高さ方向に調整可能であってもよい。
【００４６】
また、支持部による被支持物をテレビとせず、本発明をクリーナー等の支持台に適用してもよい。
【符号の説明】
【００４７】
１０  テレビ台（支持台）
２０  ベース
２１  立設部
３０  支柱
３３  傾斜部
３４  水平部
３７  取付部
３８  前面（被当接面）
３９  挿通孔（位置決め部）
４０  支持金具（支持部）
４８  後面（当接面）
４９  ネジ孔（固定部）
Ｔ    テレビ（被支持物）
【図１】
2020136758.tif 000003
【図２】
2020136758.tif 000004
【図３】
2020136758.tif 000005
【図４】
2020136758.tif 000006
【図５】
2020136758.tif 000007
【図６】
2020136758.tif 000008
【図７】
2020136758.tif 000009
【図８】
2020136758.tif 000010
【図９】
2020136758.tif 000011
【図１０】
2020136758.tif 000012
【図１１】
2020136758.tif 000013
【図１２】
2020136758.tif 000014
【図１３】
2020136758.tif 000015
【図１４】
2020136758.tif 000016
【図１５】
2020136758.tif 000017